(57)【要約】      （修正有）【課題】偏波保持ファイバの偏波面方向を調整した状態で、光モジュールの筐体に対して容易に取り付けることができる光コネクタレセプタクルを提供する。【解決手段】偏波保持ファイバ１０の端部を保持するフェルール２３と、前記フェルールを保持するフェルール保持部２５と、前記フェルール保持部を収容するハウジング２１とを備える円筒状のフェルール外周部とを有し、光モジュールの筐体に取り付けられる光コネクタレセプタクル２０であって、前記フェルール外周部は、前記偏波保持ファイバの偏波面に対して所定の角度となる基準面が設けられた基準部３４を備えることを特徴とする光コネクタレセプタクルである。【選択図】図３
2019133079.tif 000002
【特許請求の範囲】
【請求項１】
偏波保持ファイバの端部を保持するフェルールと、
前記フェルールを保持するフェルール保持部と、前記フェルール保持部を収容するハウジングとを備える円筒状のフェルール外周部と
を有し、
光モジュールの筐体に取り付けられる光コネクタレセプタクルであって、
前記フェルール外周部は、前記偏波保持ファイバの偏波面に対して所定の角度となる基準面が設けられた基準部を備える
ことを特徴とする光コネクタレセプタクル。
【請求項２】
請求項１に記載の光コネクタレセプタクルであって、
前記基準部が、前記ハウジングに設けられている
ことを特徴とする光コネクタレセプタクル。
【請求項３】
請求項１に記載の光コネクタレセプタクルであって、
前記基準部が、前記フェルール保持部に設けられている
ことを特徴とする光コネクタレセプタクル。
【請求項４】
請求項１に記載の光コネクタレセプタクルであって、
前記基準部が、前記ハウジング及び前記フェルール保持部の両方に設けられている
ことを特徴とする光コネクタレセプタクル。
【請求項５】
偏波保持ファイバからなる光ファイバと、
前記光ファイバの端部を保持するフェルールと、
前記フェルールを保持するフェルール保持部と、前記フェルール保持部を収容するハウジングとを備える円筒状のフェルール外周部と
を有する光ファイバ付き光コネクタレセプタクルの製造方法であって、
前記フェルール保持部に前記フェルールを取り付けること、
前記フェルールに前記光ファイバの端部を挿入し、接着すること、
前記ハウジングは、基準面が設けられた基準部を備え、前記光ファイバの偏波面を前記基準面に対して所定の角度傾けて前記フェルール保持部を前記ハウジングに取り付けること
を特徴とする光ファイバ付き光コネクタレセプタクルの製造方法。
【請求項６】
偏波保持ファイバからなる光ファイバと、
前記光ファイバの端部を保持するフェルールと、
前記フェルールを保持するフェルール保持部と、前記フェルール保持部を収容するハウジングとを備える円筒状のフェルール外周部と
を有する光ファイバ付き光コネクタレセプタクルの製造方法であって、
前記フェルール保持部に前記フェルールを取り付けること、
前記フェルール保持部は、基準面が設けられた基準部を備え、前記光ファイバの偏波面を前記基準面に対して所定の角度傾けて前記光ファイバの端部を前記フェルールに挿入し、接着すること
を特徴とする光ファイバ付き光コネクタレセプタクルの製造方法。
【発明の詳細な説明】
【技術分野】
【０００１】
本発明は、光コネクタレセプタクル及び光コネクタレセプタクルの製造方法に関する。
【背景技術】
【０００２】
近年、伝搬光の偏波面方向を保持して伝送が可能な偏波保持ファイバが広く使用されている。この偏波保持ファイバの端部を保持するフェルールでは、光ファイバ挿通孔に偏波保持ファイバの端部を挿通して、偏波保持ファイバとフェルールとを接着固定している。また、偏波保持ファイバの偏波面を所定の方向としてフェルールと接着固定するために、顕微鏡等で偏波保持ファイバの端面を観察しながら偏波保持ファイバの軸を中心とした回転角度を調整して、所定の角度で偏波保持ファイバをフェルールに接着固定している。
【０００３】
このような偏波保持ファイバの端部を保持するフェルールとして、例えば、特許文献１には、偏波保持ファイバの偏波面方向を示す標識がフェルールのフランジ部分（保持部３０）に設けられたフェルールが開示されている。また、特許文献１では、このフェルールが鍔部材を介してプラグフレームに対して所定の位置となるように設けられた光コネクタプラグ（以下、単に「光プラグ」と呼ぶことがある）として開示されている（特許文献１の図６参照）。
【先行技術文献】
【特許文献】
【０００４】
【特許文献１】特開２００１−２０１６５９号公報
【発明の概要】
【発明が解決しようとする課題】
【０００５】
光コネクタレセプタクル（以下、単に「光レセプタクル」と呼ぶことがある）が設けられた光モジュールの内部では、送受信モジュール等で構成される光デバイス部品と、光レセプタクルとが、偏波保持ファイバで接続されることがある。この際、光モジュールの筐体に対して、偏波保持ファイバの偏波面方向を調整して光レセプタクルを取り付ける必要がある。特許文献１に記載されているような光プラグであれば、例えばプラグフレームやプラグハウジングの下面を基準面として光モジュールの筐体の底面に取り付けることが可能であった。しかし、外形が円筒状に形成されている光レセプタクルの場合、光モジュールの筐体の底面に対して軸周りに回転自在に取り付けることができる。このため、光レセプタクルのフェルールに対して偏波保持ファイバの偏波面方向を調整して組み立てても、光レセプタクルを光モジュールの筐体の底面に対して取り付ける際に、改めて偏波面方向を調整しなければならなかった。このため、光レセプタクルを光モジュールの筐体に対して容易に取り付けることができなかった。
【０００６】
本発明は、偏波保持ファイバの偏波面方向を調整した状態で、光モジュールの筐体に対して容易に取り付けることができる光コネクタレセプタクルを提供することを目的とする。
【課題を解決するための手段】
【０００７】
本発明の幾つかの実施形態は、偏波保持ファイバの端部を保持するフェルールと、前記フェルールを保持するフェルール保持部と、前記フェルール保持部を収容するハウジングとを備える円筒状のフェルール外周部とを有し、光モジュールの筐体に取り付けられる光コネクタレセプタクルであって、前記フェルール外周部は、前記偏波保持ファイバの偏波面に対して所定の角度となる基準面が設けられた基準部を備えることを特徴とする光コネクタレセプタクルである。
【０００８】
本発明の他の特徴については、後述する明細書及び図面の記載により明らかにする。
【発明の効果】
【０００９】
本発明の幾つかの実施形態によれば、偏波保持ファイバの偏波面方向を調整した状態で、光コネクタレセプタクルを光モジュールの筐体に対して容易に取り付けることができる。
【図面の簡単な説明】
【００１０】
【図１】図１は、第１実施形態の光レセプタクル２０が設けられた光モジュール１を示す図である。
【図２】図２は、第１実施形態の光レセプタクル２０の分解斜視図である。
【図３】図３Ａは、光ファイバ１０の断面図である。図３Ｂは、第１実施形態の光レセプタクル２０の断面図である。図３Ｃは、第１実施形態の光レセプタクル２０の正面図である。
【図４】図４Ａは、第１実施形態の第１変形例の光レセプタクル２０の断面図及び正面図である。図４Ｂは、第１実施形態の第２変形例の光レセプタクル２０の断面図及び正面図である。
【図５】図５は、第１実施形態の光ファイバ付き光レセプタクルの製造方法のフロー図である。
【図６】図６Ａは、第１実施形態の光レセプタクル２０の組み立て時の様子を示す斜視図である。図６Ｂは、第１実施形態の第１変形例の光レセプタクル２０の組み立て時の様子を示す斜視図である。
【図７】図７は、第１実施形態の第３変形例の光レセプタクル２０の組み立て時の様子を示す斜視図である。
【発明を実施するための形態】
【００１１】
後述する明細書及び図面の記載から、少なくとも以下の事項が明らかとなる。
【００１２】
偏波保持ファイバの端部を保持するフェルールと、前記フェルールを保持するフェルール保持部と、前記フェルール保持部を収容するハウジングとを備える円筒状のフェルール外周部とを有し、光モジュールの筐体に取り付けられる光コネクタレセプタクルであって、前記フェルール外周部は、前記偏波保持ファイバの偏波面に対して所定の角度となる基準面が設けられた基準部を備えることを特徴とする光コネクタレセプタクルが明らかとなる。このような光コネクタレセプタクルによれば、偏波保持ファイバの偏波面方向を調整した状態で、光コネクタレセプタクルを光モジュールの筐体に対して容易に取り付けることができる。
【００１３】
前記基準部が、前記ハウジングに設けられていることが望ましい。これにより、偏波保持ファイバの偏波面を基準面に対して所定の角度傾けてフェルール保持部をハウジングに容易に取り付けることができる。
【００１４】
前記基準部が、前記フェルール保持部に設けられていることが望ましい。これにより、偏波保持ファイバの偏波面を基準面に対して所定の角度傾けて偏波保持ファイバの端部をフェルールに容易に挿入し、接着することができる。
【００１５】
前記基準部が、前記ハウジング及び前記フェルール保持部の両方に設けられていることが望ましい。これにより、偏波保持ファイバの偏波面を基準面に対して所定の角度傾けてフェルール保持部をハウジングに容易に取り付けることができる。
【００１６】
偏波保持ファイバからなる光ファイバと、前記光ファイバの端部を保持するフェルールと、前記フェルールを保持するフェルール保持部と、前記フェルール保持部を収容するハウジングとを備える円筒状のフェルール外周部とを有する光ファイバ付き光コネクタレセプタクルの製造方法であって、前記フェルール保持部に前記フェルールを取り付けること、前記フェルールに前記光ファイバの端部を挿入し、接着すること、前記ハウジングは、基準面が設けられた基準部を備え、前記光ファイバの偏波面を前記基準面に対して所定の角度傾けて前記フェルール保持部を前記ハウジングに取り付けることを特徴とする光ファイバ付き光コネクタレセプタクルの製造方法が明らかとなる。このような光コネクタレセプタクルの製造方法によれば、偏波保持ファイバの偏波面方向を調整した状態で、光コネクタレセプタクルを光モジュールの筐体に対して容易に取り付けることができる。
【００１７】
偏波保持ファイバからなる光ファイバと、前記光ファイバの端部を保持するフェルールと、前記フェルールを保持するフェルール保持部と、前記フェルール保持部を収容するハウジングとを備える円筒状のフェルール外周部とを有する光ファイバ付き光コネクタレセプタクルの製造方法であって、前記フェルール保持部に前記フェルールを取り付けること、前記フェルール保持部は、基準面が設けられた基準部を備え、前記光ファイバの偏波面を前記基準面に対して所定の角度傾けて前記光ファイバの端部を前記フェルールに挿入し、接着することを特徴とする光ファイバ付き光コネクタレセプタクルの製造方法が明らかとなる。このような光コネクタレセプタクルの製造方法によれば、偏波保持ファイバの偏波面方向を調整した状態で、光コネクタレセプタクルを光モジュールの筐体に対して容易に取り付けることができる。
【００１８】
＝＝＝第１実施形態＝＝＝
＜光モジュール１の全体構成＞
図１は、第１実施形態の光レセプタクル２０が設けられた光モジュール１を示す図である。図２は、第１実施形態の光レセプタクル２０の分解斜視図である。
【００１９】
以下の説明では、図に示すように各方向を定義する。すなわち、光レセプタクル２０に取り付けられる光ファイバ１０の長手方向を「前後方向」とし、光ファイバ１０が保持されるフェルール２３において、フェルール端面３６の側を「前」とし、逆側（フェルール２３から光ファイバ１０が延び出る側）を「後」とする（図２参照）。なお、前後方向は、光レセプタクル２０に着脱する光プラグの着脱方向でもある。
【００２０】
光モジュール１は、光プラグが着脱可能な光部品である。本実施形態における光モジュール１は、例えば、光トランシーバである。但し、光モジュール１は、光トランシーバに限られず、光プラグが着脱可能な光部品であればよい。
【００２１】
光モジュール１は、筐体２と、光デバイス部品６と、光ファイバ１０と、光レセプタクル２０とを有する（図１参照）。
【００２２】
筐体２は、光デバイス部品６と、光ファイバ１０と、光レセプタクル２０とを収容する部材である。光レセプタクル２０に対して光プラグを接続するために、筐体２には、光プラグが挿入される開口部（不図示）が形成されていてもよい。また、光レセプタクル２０に接続された光プラグが抜け落ちることを抑制するために、筐体２には、光プラグがラッチされるラッチ部（不図示）が形成されていてもよい。
【００２３】
本実施形態における光デバイス部品６は、例えば、光送受信モジュール（光送信モジュール及び光受信モジュール）である。但し、光デバイス部品６は、光送受信モジュールに限られず、他の光デバイス部品であってもよい。図１に示すように、一端において一対の光レセプタクル２０（光レセプタクル２０Ａ及び光レセプタクル２０Ｂ）にそれぞれ接続された複数の光ファイバ１０が、他端において光デバイス部品６に接続されている。複数の光ファイバ１０のうち、一方の光ファイバ１０が光信号の送信のために光デバイス部品６に接続され、他方の光ファイバ１０が光信号の受信のために光デバイス部品６に接続されている。
【００２４】
光ファイバ１０は、光デバイス部品６と、光レセプタクル２０とを光接続する光ファイバである。本実施形態における光ファイバ１０は、例えば、シングルモードファイバである。さらに、本実施形態における光ファイバ１０は、偏波保持ファイバであってもよい。但し、光ファイバ１０は、シングルモードファイバ（偏波保持ファイバ）に限られず、それ以外の光ファイバであってもよい。前述した通り、光モジュール１の筐体２の内部において複数の光ファイバ１０が収容されている。複数の光ファイバ１０のうち、それぞれの光ファイバ１０は、一端において光レセプタクル２０（光レセプタクル２０Ａ又は光レセプタクル２０Ｂ）に接続されている。また、複数の光ファイバ１０のうち、それぞれの光ファイバ１０は、他端において光デバイス部品６（光送信モジュール又は光受信モジュール）に接続されている。
【００２５】
図１に示すように、複数の光ファイバ１０のうち、それぞれの光ファイバ１０は、余長部を有している。光ファイバ１０の余長部は、光デバイス部品６の周りを取り回されるようにして光モジュール１の筐体２に収容されている。具体的には、図１に示す光レセプタクル２０Ａに接続された光ファイバ１０の余長部は、光デバイス部品６の周りを時計回りにほぼ２周して、光デバイス部品６に接続されている。一方、光レセプタクル２０Ｂに接続された光ファイバ１０の余長部は、光デバイス部品６の周りを反時計回りにほぼ２周して、光デバイス部品６に接続されている。なお、光ファイバ１０の詳細な構成については、後述する。
【００２６】
光レセプタクル２０は、光プラグが着脱可能なレセプタクル側の光コネクタである。図１に示すように、本実施形態における光モジュール１には、一対の光レセプタクル２０（光レセプタクル２０Ａ及び光レセプタクル２０Ｂ）が設けられている。一対の光レセプタクル２０のうち、一方の光レセプタクル２０が光送信用の光ファイバ１０が接続された光レセプタクルであり、他方の光レセプタクル２０が光受信用の光ファイバ１０が接続された光レセプタクルである。但し、光モジュール１には、光レセプタクル２０が一対設けられることに限られず、光レセプタクル２０が一つのみ設けられていてもよい。また、光モジュール１には、３以上の光レセプタクル２０が設けられていてもよい。
【００２７】
＜光レセプタクル２０の構成＞
図２に示すように、光レセプタクル２０は、ハウジング２１と、スリーブ２７と、フェルール２３と、フェルール保持部２５と、チューブ２６とを有する。なお、ハウジング２１と、フェルール保持部２５とを合わせてフェルール外周部２９と呼ぶことがある。
【００２８】
ハウジング２１は、フェルール保持部２５を保持する部材である。また、ハウジング２１は、光モジュール１の筐体２に固定される部材でもある。光モジュール１の筐体２に固定された光レセプタクル２０のハウジング２１に対して光プラグのプラグハウジング（不図示）を嵌合させることで、光レセプタクル２０と光プラグとが光接続される。ハウジング２１は、プラグ挿入部３１と、フランジ部３２と、固定部品保持部３３とを有する。
【００２９】
プラグ挿入部３１は、光プラグのプラグハウジング（不図示）に挿入される部位である。プラグ挿入部３１は、ハウジング２１において前側に位置する部位である。プラグ挿入部３１を光プラグのプラグハウジング（不図示）に挿入することで、プラグ挿入部３１は、プラグハウジング（不図示）の内壁面に嵌合する。これにより、光プラグが、光レセプタクル２０に対して前後方向に垂直な方向（上下方向及び左右方向）に位置合わせされる。したがって、光レセプタクル２０のフェルール２３のフェルール端面３６にプラグ側フェルール端面を精度良く対向させることができる。なお、プラグ挿入部３１の内部には、スリーブ２７が収容されている。
【００３０】
フランジ部３２は、光モジュール１の筐体２に固定される部位である。フランジ部３２は、ハウジング２１の本体（プラグ挿入部３１及び固定部品保持部３３）の外周面から外側に突出している部位である。また、フランジ部３２は、ハウジング２１においてプラグ挿入部３１と固定部品保持部３３との間に設けられた部位である。フランジ部３２は、例えば光モジュール１の筐体２に設けられたレセプタクル保持部分に嵌合することで、フランジ部３２が光モジュール１の筐体２に固定される。
【００３１】
固定部品保持部３３は、フェルール保持部２５を保持する部位である。固定部品保持部３３は、ハウジング２１において後側に位置する部位である。図２に示すように、固定部品保持部３３にはハウジング側基準部３４が設けられている。ハウジング側基準部３４の詳細については、後述する。
【００３２】
スリーブ２７は、フェルール２３に突き合わせ接続される不図示の光プラグ側フェルールを案内する部材である。図２に示すように、スリーブ２７は前後方向にスリット２８が設けられた円筒状に形成されている。後述する図３Ｂに示すように、スリーブ２７は、ハウジング２１に収容されている。また、スリーブ２７の後側部分に、フェルール２３が挿入されている。そして、スリーブ２７の前側部分に不図示の光プラグ側フェルールが挿入され、フェルール（不図示の光プラグ側フェルール及びフェルール２３）の端面同士が突き当たることになる。
【００３３】
フェルール２３は、光ファイバ１０の端部を保持する部材である。フェルール２３は、フェルール保持部２５に保持されている。
【００３４】
フェルール保持部２５は、フェルール２３を保持する部材である。後述する図３Ｂに示すように、フェルール保持部２５は、フェルール２３が挿入されることでフェルール２３を保持している。また、フェルール保持部２５は、ハウジング２１に保持されている。なお、フェルール保持部２５と、ハウジング２１とで構成されるフェルール外周部２９は、一体的に形成されていてもよい。
【００３５】
チューブ２６は、光ファイバ１０が光レセプタクル２０から延び出る部分を保護する部材である。チューブ２６は、内部に光ファイバ１０が挿通され、接着材で固定される。本実施形態では、後述する図３Ｂに示すように、チューブ２６の前側の端部は、フェルール保持部２５に挿入され、接着剤によりフェルール保持部２５に対して引き留められている。なお、チューブ２６は、フェルール保持部２５に対して接着剤により引き留められることに限られない。チューブ２６がフェルール保持部２５の挿通孔に対して圧入により挿入され、チューブ２６とフェルール保持部２５との摩擦力により、チューブ２６がフェルール保持部２５に対して固定されていてもよい。
【００３６】
＜偏波保持ファイバ＞
図３Ａは、光ファイバ１０の断面図である。前述したように、本実施形態では、光ファイバ１０は、偏波保持ファイバが使用される。偏波保持ファイバとは、光の偏波状態を保持したまま伝搬させることができる光ファイバである。また、このような偏波保持ファイバとして、一対の応力付与部でコアを挟むことでコアに応力を付与し、実効屈折率が互いに異なる直交軸を有するコア（複屈折性を有するコア）を形成する応力付与型の偏波保持ファイバが使用される。なお、このような応力付与型の偏波保持ファイバのことを、「ＰＡＮＤＡ型」の偏波保持ファイバと呼ぶことがある。但し、光ファイバ１０は、このような偏波保持ファイバに限られない。例えば、断面形状が楕円形のコアを備える楕円コア型の光ファイバや、複数のコアを備えるマルチコア型の光ファイバのような、中心軸周りの回転方向に異方性を有した光ファイバであってもよい。
【００３７】
光ファイバ１０は、光信号が伝搬するコア１１と、コア１１を覆うクラッド１２と、コア１１に複屈折性を与える一対の応力付与部１３とを有する（図３Ａ参照）。本実施形態では、図３Ａに示すように、一対の応力付与部１３の中心同士を結ぶ面を（Ｘ）を偏波面方向とする。また、一対の応力付与部１３の中心同士を結ぶ面に直交する面（Ｙ）を偏波面方向としてもよい。但し、Ｘ及びＹ以外の、コア１１の中心を通る任意の角度の面を偏波面方向としてもよい。
【００３８】
＜基準面が設けられたフェルール外周部２９を有する光レセプタクル２０＞
図３Ｂは、第１実施形態の光レセプタクル２０の断面図である。図３Ｃは、第１実施形態の光レセプタクル２０の正面図である。前述したように、本実施形態では、光ファイバ１０は、偏波保持ファイバが使用される。このような偏波保持ファイバに関して、偏波保持ファイバの端部同士や、偏波保持ファイバと光素子との接続の際には、偏波保持ファイバの偏波面の角度を調整して接続することが必要となる。すなわち、本実施形態では、光レセプタクル２０と光プラグとの接続の際や、光レセプタクル２０と光デバイス部品６との接続の際（図１参照）には、光ファイバ１０の軸を中心とした光ファイバ１０の回転角度を調整して接続することが必要となる。そこで、本実施形態では、光モジュール１の筐体２の底面に対して、光レセプタクル２０が光ファイバ１０の軸を中心とした回転角度を調整した状態で取り付けられている。これにより、光レセプタクル２０に光プラグが接続する際や、光レセプタクル２０と光デバイス部品６とを接続する際においても、高消光比の伝搬光となる接続が可能となる。
【００３９】
なお、本実施形態では、図３Ｂ及び図３Ｃに示すように、フェルール外周部２９にハウジング側基準部３４が設けられている。ハウジング側基準部３４は、円筒形状に設けられたフェルール外周部２９のうち、平面形状となる部位である。また、本実施形態のハウジング側基準部３４は、ハウジング２１の固定部品保持部３３に設けられている。光モジュール１の筐体２の底面に対してハウジング基準部３４を基準面として光レセプタクル２０が光モジュール１の筐体２に取り付けられることで、光ファイバ１０の軸を中心とした回転角度を調整した状態で、光プラグや光デバイス部品６を接続することができる。
【００４０】
ここで、ハウジング側基準部３４以外のフェルール外周部２９の外周面は円筒形状を有している。このため、仮にハウジング側基準部３４が設けられておらず、フェルール外周部２９の外周面が全て円筒形状となっている場合、光レセプタクル２０を光モジュール１の筐体２に取り付ける際に、光ファイバ１０の軸を中心とした回転角度を調整するための基準面がないことになる。そうすると、改めて顕微鏡等で偏波保持ファイバの端面を観察しなければならず、光レセプタクル２０を光モジュール１の筐体２に対して容易に取り付けることができない。しかし、本実施形態では、ハウジング側基準部３４を基準面としてレセプタクル２０を光モジュール１の筐体２に取り付けることで、光ファイバ１０の偏波面方向を調整した状態で、光レセプタクル２０を光モジュール１の筐体２に対して容易に取り付けることができる。
【００４１】
＜変形例（第１変形例及び第２変形例）＞
図４Ａは、第１実施形態の第１変形例の光レセプタクル２０の断面図及び正面図である。図４Ｂは、第１実施形態の第２変形例の光レセプタクル２０の断面図及び正面図である。前述した本実施形態では、基準面（ハウジング基準部３４）がハウジング２１（固定部品保持部３３）に設けられていた。しかし、図４Ａに示す第１変形例では、基準面がフェルール保持部２５に設けられてもよい。なお、以下の説明では、フェルール保持部２５に設けられた基準面をフェルール保持部側基準部３５と呼ぶことがある。本第１変形例では、フェルール保持部側基準部３５を基準面として光レセプタクル２０を光モジュール１の筐体２に取り付けることで、光ファイバ１０の偏波面方向を調整した状態で、光レセプタクル２０を光モジュール１の筐体２に対して容易に取り付けることができる。
【００４２】
また、前述した本実施形態では、円筒状のハウジング２１（固定部品保持部３３）の外周面の一部に形成された平面を基準面（ハウジング基準部３４）としていた。しかし、図４Ｂに示す第２変形例では、ハウジング２１（固定部品保持部３３）が四角柱状に形成されており、４つある平面状の外周面のうち、１つの面が基準面（ハウジング基準部３４）として設けられてもよい。本第２変形例では、この１つの面のハウジング基準部３４を基準面として光レセプタクル２０を光モジュール１の筐体２に取り付けることで、光ファイバ１０の偏波面方向を調整した状態で、光レセプタクル２０を光モジュール１の筐体２に対して容易に取り付けることができる。
【００４３】
＜光ファイバ付き光レセプタクルの製造方法＞
図５は、第１実施形態の光ファイバ付き光レセプタクルの製造方法のフロー図である。
【００４４】
まず、フェルール保持部２５にフェルール２３を取り付ける（Ｓ００１）。このとき、フェルール保持部２５の挿通孔に対してフェルール２３が挿入される。本実施形態では、フェルール２３は圧入によりフェルール保持部２５の挿通孔に挿入される。なお、この際、フェルール保持部２５に対してフェルール２３の角度を調整して挿入する必要はない。また、フェルール保持部２５にフェルール２３を取り付ける方法としては、圧入に限られない。フェルール保持部２５の挿通孔がフェルール２３の外径よりもやや大きく形成されており、フェルール保持部２５の挿通孔に接着剤を充填し、フェルール２３を挿入した後に接着剤を固化させることによりフェルール保持部２５とフェルール２３とを接合させてもよい。
【００４５】
次に、光ファイバ１０の被覆を除去する（Ｓ００２）。光ファイバ１０の被膜を除去された部分の光ファイバ１０は、外径が０．２５ｍｍの光ファイバ素線となっている。そして、光ファイバ１０をチューブ２６に挿通し、接着固定する（Ｓ００３）。なお、チューブ２６の挿通孔に接着剤を充填し、光ファイバ１０をチューブ２６に挿通した後に接着剤を固化させることにより光ファイバ１０とチューブ２６とを接合させる。そして、フェルール保持部２５にチューブ２６が固定された光ファイバ１０を取り付ける（Ｓ００４）。さらに、フェルール保持部２５をハウジング２１に取り付ける（Ｓ００５）。本実施形態では、このとき、光ファイバ１０の軸を中心とした回転角度を調整してフェルール保持部２５をハウジング２１に取り付けることになる。
【００４６】
図６Ａは、第１実施形態の光レセプタクル２０の組み立て時の様子を示す斜視図である。前述したように、第１実施形態の光レセプタクル２０では、ハウジング２１（固定部品保持部３３）に基準面（ハウジング側基準部３４）が設けられている。このため、ハウジング２１にフェルール保持部２５を挿入し固定する際（図５に示すＳ００５）に、光ファイバ１０の角度を調整しながら取り付けることになる。この際、図６Ａに示すように、冶具等（図６Ａに示す冶具５０）に対してハウジング２１を固定しながら、フェルール保持部２５を回転させて角度を調整する。なお、光ファイバ１０はチューブ２６を介してフェルール保持部２５に固定されているので、フェルール保持部２５を回転させることで光ファイバ１０も回転することになる。なお、後述する図６Ｂに示す光ファイバ１０を回転させる場合と違って、光ファイバ１０より径が大きいフェルール保持部２５を回転させるので、回転角度の管理は図６Ａよりも容易である。
【００４７】
図６Ｂは、第１実施形態の第１変形例の光レセプタクル２０の組み立て時の様子を示す斜視図である。前述したように、第１実施形態の第１変形例の光レセプタクル２０では、フェルール保持部２５に基準面（フェルール保持部側基準部３５）が設けられている。このため、フェルール保持部２５に光ファイバ１０を挿入し接着固定する際（図５に示すＳ００４）に、光ファイバ１０の角度を調整しながら取り付けることになる。この際、冶具等（図６Ｂに示す冶具５０）に対してフェルール保持部２５を固定しながら、光ファイバ１０を回転させて角度を調整する。図６Ａに示すフェルール保持部２５を回転させる場合と違って、フェルール保持部２５より径が小さい光ファイバ１０を回転させるので、回転角度の管理は図６Ｂよりも難しくなる。しかし、光ファイバ１０をフェルール保持部２５に取り付けた後は、フェルール保持部側基準部３５を基準面として光レセプタクル２０を光モジュール１の筐体２に容易に取り付けることができる。
【００４８】
＜変形例（第３変形例）＞
図７は、第１実施形態の第３変形例の光レセプタクル２０の組み立て時の様子を示す斜視図である。本変形例では、基準面がハウジング２１とフェルール保持部２５との両方に設けられている。これにより、フェルール保持部２５（光ファイバ１０及びフェルール２５）の角度を調整しながらフェルール保持部２５をハウジング２１に挿入する際に、冶具で固定されたハウジング２１に対して、同様に冶具で固定されたフェルール保持部２５を回転させることができる。すなわち、冶具で固定された同士（ハウジング２１及びフェルール保持部２５）の角度を調整することになるので、回転動作をさせやすくなる。
【００４９】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５０】
１  光モジュール、２  筐体、６  光デバイス部品、
１０  光ファイバ（偏波保持ファイバ）、
１１  コア、１２  クラッド、１３  応力付与部、
２０  光コネクタレセプタクル（光レセプタクル）、２１  ハウジング、
２３  フェルール、
２５  フェルール保持部、２６  チューブ、２７  スリーブ、
２８  スリット、２９  フェルール外周部、３１  プラグ挿入部、３２、フランジ部、
３３  固定部品保持部、３４  ハウジング側基準部、３５  フェルール保持部側基準部、
３６  フェルール端面、３７  ファイバ挿通部、
３８  テーパ部、３９  引き留め部、４０  接着剤、
４１  挿通孔、４２  外周部、４３  起伏部、５０  冶具
【図１】
2019133079.tif 000003
【図２】
2019133079.tif 000004
【図３】
2019133079.tif 000005
【図４】
2019133079.tif 000006
【図５】
2019133079.tif 000007
【図６】
2019133079.tif 000008
【図７】
2019133079.tif 000009